(57)【要約】      （修正有）【課題】工期が従来よりも短く、工事箇所を区切って局所的な工事を順次行うことが可能であり、年中無休且つ２４時間営業を行う店舗や商業施設において営業を継続しながら施工することが出来る駐車場用防水床構造を提供する。【解決手段】店舗又は商業施設に設けられ、表層に非防水アスファルト舗装層１０８が形成された既存の駐車場の床構造を用いた駐車場用防水床構造１０であり、前記非防水アスファルト舗装層上に形成され、イソシアネート成分とポリオール成分とを混合して１２０秒以内で硬化する速硬化性ウレタン組成物とし、これに発泡用ガスを圧入、混合して発泡させてなるウレタン弾性発泡層１２と、前記ウレタン弾性発泡層上に形成され、イソシアネート成分とポリオール成分とを混合させてなるウレタン組成物層１４と、を含むようにした。【選択図】図１
0003187050.tif 000002
【実用新案登録請求の範囲】
【請求項１】
店舗又は商業施設に設けられ、表層に非防水アスファルト舗装層が形成された既存の駐車場の床構造を用いた駐車場用防水床構造であり、
前記非防水アスファルト舗装層上に形成され、イソシアネート成分とポリオール成分とを混合して１２０秒以内で硬化する速硬化性ウレタン組成物とし、これに発泡用ガスを圧入、混合して発泡させてなるウレタン弾性発泡層と、
前記ウレタン弾性発泡層上に形成され、
イソシアネート成分とポリオール成分とを混合させてなるウレタン組成物層と、を含むことを特徴とする駐車場用防水床構造。
【請求項２】
前記既存の駐車場の床構造の前記非防水アスファルト舗装層が、骨材とアスファルトとを含むアスファルト合材から構成され、前記骨材が、砕石及び粒径１ｍｍ〜５ｍｍの砂を含む非防水アスファルト舗装層であることを特徴とする請求項１記載の駐車場用防水床構造。
【請求項３】
前記店舗又は商業施設が、年中無休且つ２４時間営業であることを特徴とする請求項１又は２記載の駐車場用防水床構造。
【考案の詳細な説明】
【技術分野】
【０００１】
本考案は、表層に非防水アスファルト舗装層が形成された既存の駐車場の床構造を用いた駐車場用防水床構造に関する。
【背景技術】
【０００２】
従来、屋上や地下に駐車場が設けられたスーパーマーケット、ディスカウントストア、カー用品店、ホームセンター、などの店舗や商業施設などが多く存在する。
【０００３】
このような従来の屋上や地下の駐車場の床構造を、図２に示す。従来の駐車場床構造１００は、下地コンクリート層１０２の上に防水層１０４（例えば、アスファルト防水層）を設け、防水層１０４の上に押さえコンクリート層１０６を設け、その上に、砕石及び粒径１ｍｍ〜５ｍｍの砂を含む骨材とアスファルトとを含むアスファルト合材から構成される非防水のアスファルト舗装層１０８が形成されているものが多い。かかるアスファルト舗装層は透水性が高く、防水性能はない。
【０００４】
従来の屋上や地下の駐車場の床構造を示すものとしては、例えば、特許文献１がある。
【０００５】
しかしながら、上記従来の屋上や地下の駐車場の床構造は、経年劣化により、表層の非防水のアスファルト舗装層が剥がれてきたり、前記防水層の防水機能が失われてきたりし、３年〜１０年程度で補修工事の必要性がでてくる。
【０００６】
一方、最近では、年中無休且つ２４時間営業を行う店舗や商業施設も増えてきている。年中無休且つ２４時間営業を行う店舗や商業施設の場合、駐車場の補修工事を行おうとすると、従来は、前記した下地コンクリート層の上を全て剥がして工事を行っていたため、店舗や商業施設を長期間休業して大規模な工事を行う必要があった。また、前記した下地コンクリート層の上を全て剥がして補修工事を行おうとすると大きな騒音が出るため近隣住民などに迷惑がかかるという問題もあった。
【０００７】
しかし、年中無休且つ２４時間営業を行う店舗や商業施設では、いつ行っても営業しているというのが一つのアピールポイントであるため、なるべく休業はしたくない。そこで、なるべく休業することなく補修工事を行うことができ、且つ低騒音の補修工事が望まれていた。
【先行技術文献】
【特許文献】
【０００８】
【特許文献１】実開昭６２−１１０３０２
【特許文献２】特開２００１−１０５５３６
【特許文献３】特開２００１−１１５６０９
【考案の開示】
【考案が解決しようとする課題】
【０００９】
本考案は、上記した従来技術の問題点に鑑みなされたもので、工期が従来よりも短く、工事箇所を区切って局所的な工事を順次行うことが可能であり、年中無休且つ２４時間営業を行う店舗や商業施設において営業を継続しながら施工することが出来る駐車場用防水床構造を提供することを目的とする。
【課題を解決するための手段】
【００１０】
上記課題を解決するために、本考案の駐車場用防水床構造は、店舗又は商業施設に設けられ、表層に非防水アスファルト舗装層が形成された既存の駐車場の床構造を用いた駐車場用防水床構造であり、前記非防水アスファルト舗装層上に形成され、イソシアネート成分とポリオール成分とを混合して１２０秒以内で硬化する速硬化性ウレタン組成物とし、これに発泡用ガスを圧入、混合して発泡させてなるウレタン弾性発泡層と、前記ウレタン弾性発泡層上に形成され、イソシアネート成分とポリオール成分とを混合させてなるウレタン組成物層と、を含むことを特徴とする。
【００１１】
従来は、駐車場の下地コンクリート層の上の層を全て剥がし、再度施工して非防水アスファルト舗装層を舗装し直していたが、本考案では、既存の駐車場の床構造を非防水アスファルト舗装層の部分まで含めてそのまま使うため、従来よりも工期が短くなる。例えば、上述した従来の工法に比べて本考案に係る駐車場用防水床構造の工期は１／５〜１／６程度になる。また、工期が短縮されるため、工事費用も抑えることができ、従来の工法に比べて半分程度の工事費用となる。
【００１２】
本考案に係る駐車場用防水床構造では、施工にあたって、工事箇所を区切って局所的な工事を順次行うことが可能であり、年中無休且つ２４時間営業を行う店舗や商業施設において営業を継続しながら施工することが出来る。即ち、従来のように、既存の駐車場の下地コンクリート層の上の層を全て剥がし、再度施工して非防水アスファルト舗装層を舗装し直す施工方法では、年中無休且つ２４時間営業を行う店舗や商業施設では一定期間休業せざるを得なかった。しかしながら、本考案に係る駐車場用防水床構造では、営業継続型施工が可能であるため、年中無休且つ２４時間営業を行う店舗や商業施設において営業を継続しながら施工することが可能である。
【００１３】
また、従来のように、既存の駐車場の下地コンクリート層の上の層を全て剥がし、再度施工して非防水アスファルト舗装層を舗装し直す施工方法では、層を剥がす際に大きな騒音が発生してしまうため、近隣に住宅がある場所などでは、補修工事の施工が憚られる一因となっていた。しかしながら、本考案に係る駐車場用防水床構造では、既存の駐車場の床構造を非防水アスファルト舗装層の部分まで含めてそのまま使うため、従来よりも低騒音での工事が可能となる。
【００１４】
本考案の駐車場用防水床構造は、前記既存の駐車場の床構造の前記非防水アスファルト舗装層が、骨材とアスファルトとを含むアスファルト合材から構成され、前記骨材が、砕石及び粒径１ｍｍ〜５ｍｍの砂を含む非防水アスファルト舗装層であるのが好適である。
【００１５】
前記店舗又は商業施設が、年中無休且つ２４時間営業であるのが好ましい。
【考案の効果】
【００１６】
本考案によれば、工期が従来よりも短く、工事箇所を区切って局所的な工事を順次行うことが可能であり、年中無休且つ２４時間営業を行う店舗や商業施設において営業を継続しながら施工することが出来る駐車場用防水床構造を提供することができるという著大な効果を奏する。
【図面の簡単な説明】
【００１７】
【図１】本考案に係る駐車場用防水床構造の要部断面概略図である。
【図２】従来の駐車場床構造の要部断面概略図である。
【考案を実施するための形態】
【００１８】
以下に本考案の実施の形態を添付図面に基づいて説明するが、図示例は例示的に示されたもので、本考案の技術的思想から逸脱しない限り種々の変形が可能なことは言うまでもない。
【００１９】
本考案に係る駐車場用防水床構造の一つの実施の形態を図１に示す。
【００２０】
図において、符号１０は、本考案に係る駐車場用防水床構造の一つの実施の形態を示す。本考案の駐車場用防水床構造１０は、店舗又は商業施設に設けられ、表層に非防水アスファルト舗装層１０８が形成された既存の駐車場の床構造１００を用いた駐車場用防水床構造であり、前記非防水アスファルト舗装層１０８上に形成され、イソシアネート成分とポリオール成分とを混合して１２０秒以内で硬化する速硬化性ウレタン組成物とし、これに発泡用ガスを圧入、混合して発泡させてなるウレタン弾性発泡層１２と、前記ウレタン弾性発泡層１２上に形成され、イソシアネート成分とポリオール成分とを混合させてなるウレタン組成物層１４と、を含む構造とされている。
【００２１】
表層に非防水アスファルト舗装層１０８が形成された既存の駐車場の床構造１００については、図２に示した従来の駐車場の床構造と同一である。非防水アスファルト舗装層１０８は、骨材とアスファルトとを含むアスファルト合材から構成され、前記骨材が、砕石及び粒径１ｍｍ〜５ｍｍの砂を含む非防水アスファルト舗装層が好ましいが、防水性能のない密粒アスファルト層や浸透アスファルト層でもよい。
【００２２】
ウレタン弾性発泡層１２としては、特許文献１又は特許文献２に記載されたウレタン弾性発泡体からなる層を適用することができる。例えば、（株）ダイフレックスの超速硬化ウレタン防水システム（商品名：ゲットシステム（登録商標））によってウレタン弾性発泡層１２を好適に形成することができる。
【００２３】
下層である前記ウレタン弾性発泡層１２上に形成する、上層であるウレタン組成物層１４としては、例えば特許文献１に記載されたウレタンエラストマーからなる上層を適用することができる。例えば、（株）ダイフレックスの駐車場防水床工法（商品名：パワレックス（登録商標））によってウレタン組成物層１４を好適に形成することができる。
【００２４】
このように、本考案では、既存の駐車場の床構造を非防水アスファルト舗装層の部分まで含めてそのまま使うため、工期が従来よりも短く、工事箇所を区切って局所的な工事を順次行うことが可能であり、年中無休且つ２４時間営業を行う店舗や商業施設において営業を継続しながら施工するだけでなく、低騒音で工事が行えるのである。
【符号の説明】
【００２５】
１０：本考案に係る駐車場用防水床構造、１２：ウレタン弾性発泡層、１４：ウレタン組成物層、１００：従来の駐車場床構造、１０２：下地コンクリート層、１０４：防水層、１０６：押さえコンクリート層、１０８：非防水アスファルト舗装層。
【図１】
0003187050.tif 000003
【図２】
0003187050.tif 000004